(57)【要約】【課題】本発明は、システム構成の最適化を図り、効率的な状態遷移、信号処理を実現するマルチコードレス子機付きファクシミリ装置を提供することを目的とする。【解決手段】本発明は、コードレス電話機制御部１とＦＡＸ本体制御部１２とを備え、コードレス電話機制御部１には、ＣＮＧ信号とＣＥＤ信号を検知することができる回線制御部２が設けられるともに共通の状態管理を行うＦＡＸ／コードレス共通状態管理部９が設けられ、回線制御部２がベル信号を検知したとき、ＦＡＸ／コードレス共通状態管理部９に状態更新通知の発行を行い、ベルを鳴動させて子機１７〜２４にベル鳴動要求を通知し、回線制御部２がＣＧＮ信号を検知したときは、ＦＡＸ／コードレス共通状態管理部９に状態更新通知の発行を行い、ＦＡＸ本体制御部１２にＦＡＸ受信要求を行うことを特徴とする。【選択図】  図１
2004274387.tif 000002
【特許請求の範囲】
【請求項１】
子機の制御を行う電話機制御部と、ＦＡＸ通信を行うＦＡＸ本体制御部とを備え、ＦＡＸ／電話機共通状態管理部が前記電話機制御部と前記ＦＡＸ本体制御部の全体の状態管理を行う子機付きファクシミリ装置であって、
前記電話機制御部には、ＦＡＸ／電話機共通状態管理部が設けられ、
前記回線制御部がベル信号を検知したとき、前記電話機制御部内のベルを鳴動させるとともに前記子機にベル鳴動要求を通知し、
前記回線制御部がＣＮＧ信号を検知したときは、前記ＦＡＸ本体制御部にＦＡＸ受信要求を行うことを特徴とするファクシミリ装置。
【請求項２】
子機から子機間通話要求があると、前記ＦＡＸ／電話機共通状態管理部が、ＦＡＸ通信中であればＦＡＸ送信中状態通知を無線制御部に発行し、該無線制御部が呼び出し先の子機に呼び出し要求を行うことを特徴とする請求項１記載のファクシミリ装置。
【請求項３】
子機から子機間通話要求があると、前記ＦＡＸ／電話機共通状態管理部が、呼び出し先子機が外線通話中であれば通話中状態通知を無線制御部に発行してビジーを通知するとともに、呼び出し先子機が外線通話中でなければ呼び出し可能通知を無線制御部に発行して呼び出すことを特徴とする請求項１記載のファクシミリ装置。
【発明の詳細な説明】
【０００１】
【発明の属する技術分野】
本発明は、ＦＡＸ機能と電話機能を同時に使用することが可能なファクシミリ装置に関するものである。
【０００２】
【従来の技術】
近年、移動体通信機器、特に携帯電話やＰＨＳ、コードレス電話機は小型化され、広く普及してきている。これらの電話機は、従来親機に１つの子機という形態が多かったが、最近では複数の子機を備えて、同時通話や子機間通話を可能にする電話機が提案されている（特許文献１）。しかし、この電話機は基本的に通話だけが目的であって、データ通信はできない。そこで、既に家庭内や事業所内で普及しているファクシミリ装置を親機とした子機付きファクシミリ装置が提案された。この子機付きファクシミリ装置であれば、家庭や事業所において通話やデータ通信等行える高機能のターミナルを構築できる。
【０００３】
さて、この従来の子機付きファクシミリ装置は、ファクシミリ装置を基本として電話機を搭載するという考えで開発された。しかし、Ｇ３ファクシミリ装置と電話機のいずれもがアナログ電話回線に接続されるものでありながら、その回線制御やインタフェース等は異なっており、プロセッサ（以下、ＣＰＵ）の今までの開発経緯もあって、ＣＰＵがそれぞれ個別のものとならざるをえず、コストを押し上げる原因となっていた。すなわち、この電話機のＣＰＵをファクシミリ装置のＣＰＵのスレーブとして搭載すると、ファクシミリ装置のＣＰＵとの間でインタフェースが必要となり、ＣＰＵ間の通信で遅延が生じて、着信してもファクシミリ装置とマルチ子機コードレス電話機が同時に鳴動せず、電話機が遅れて鳴動するものであった。そこで、以下、図面を参照しながら従来の子機付きファクシミリ装置について説明を行う。図３は従来の子機付きファクシミリ装置の構成図である。
【０００４】
図３において、３１はＦＡＸに増設される後述する８台のコードレス電話機５２〜５９を制御するコードレス電話機制御部、３２はマルチ子機単独の製品である場合に電話回線に流れる各種信号を検知するコードレス電話機制御部の回線制御部、３３はマルチ子機単独の製品である場合に着信ベル信号を検知するベル検知制御部、３４はマルチ子機単独の製品である場合に、電話をかけてきた相手の名前や電話番号を検知するコーラＩＤ信号検知制御部、３５はマルチ子機単独の製品である場合に、留守番電話に出先から録音が行われるときその音声が有効か無効かを判定するために必要なコードレス電話機制御部の音声ＶＯＸ信号検知制御部である。
【０００５】
３６はコードレス電話機８台の稼動状態を管理するコードレス電話機状態管理部、３７はコードレス電話機８台との間で無線信号による通信を行うための無線通信制御部、３８はＦＡＸ本体制御部側ＣＰＵとコードレス電話機制御部側ＣＰＵ間の通信を行うためのコードレス電話機制御部側のシリアル通信制御部、３９はＦＡＸ通信、コピア、プリンター等のＦＡＸ側の機能を実現するためのＦＡＸ本体制御部、４０はＦＡＸ本体制御部とコードレス電話機制御部の双方の状態を統合管理するＦＡＸ／コードレス電話機共通状態管理部である。
【０００６】
次に４１はＦＡＸ本体制御部側ＣＰＵとコードレス電話機制御部側ＣＰＵ間の通信を行うためのＦＡＸ本体制御部のシリアル通信制御部、４２はＦＡＸ単独の製品である場合に電話回線に流れる各種信号を検知するＦＡＸ本体制御部の回線制御部、４３はＦＡＸ単独の製品である場合に着信ベル信号を検知するＦＡＸ本体制御部のベル検知制御部、４４はＦＡＸ単独の製品である場合に、電話をかけてきた相手の名前や電話番号を検知するＦＡＸ本体制御部のコーラＩＤ信号検知制御部、４５は留守番電話付きＦＡＸ単独の製品である場合に、留守番電話に出先から録音が行われるときその音声が有効か無効かを判定するために必要なＦＡＸ本体制御部の音声ＶＯＸ信号検知制御部である。
【０００７】
４６は電話回線からのリモコン起動信号（ＤＴＭＦ）を検知するためのリモコン信号検知制御部、４７はＦＡＸ通信を行うためにＩＴＵ−Ｔ３０で推奨された通信プロトコルを実現するＩＴＵ−Ｔ３０通信プロトコル制御部、４８はＦＡＸ通信フェーズＡに含まれ、送信機側から送出されるＣＮＧ信号を検知するＣＮＧ信号検知制御部、４９は同様にＦＡＸ通信フェーズＡに含まれ、受信機側から送出されるＣＥＤ信号を検知するＣＥＤ信号検知制御部、５０はＦＡＸ通信フェーズＢ〜Ｄを実現するフェーズＢ〜Ｄ制御部、５１はＦＡＸの稼動状態を管理するＦＡＸ本体状態管理部、５２はコードレス電話機制御部に増設登録して使用される１台目の子機、５３は同様に増設登録して使用される２台目の子機、以下順次５４〜５９は３台目〜８台目の子機である。
【０００８】
以上のように構成された従来のマルチコードレス子機付きファクシミリ装置について、以下その動作を説明する。図４は従来のマルチコードレス子機付きファクシミリ装置のモジュール間通信のシーケンスチャートである。
【０００９】
図４において、電話回線からベル信号が入ると（ｓｑ２１）ＦＡＸ本体制御部３９の回線制御部４２が起動され、ＦＡＸ本体制御部３９のベル検知制御部４３によってベル信号の検知が行われ（ｓｑ２２）、ベル信号有りと判定された場合にＦＡＸ本体のベルを鳴動させる（ｓｑ２３）とともに、ＦＡＸ本体制御部３９側のシリアル通信制御部４１にコードレス電話機制御部３１へベル鳴動要求を送出するよう要求が行われる（ｓｑ２４）。シリアル通信制御部４１からコードレス電話機制御部３１側のシリアル通信制御部３８にこの要求が送られ（ｓｑ２５）、シリアル通信制御部３８はコードレス電話機状態管理部３６へベル鳴動要求があったことを通知する（ｓｑ２６）。
【００１０】
コードレス電話機状態管理部３６はコードレス電話機５２〜５９までの８台の空き状況を検索し、空いている子機に対してベル有り信号を送るように無線通信制御部３７へ要求を行う（ｓｑ２７）。無線通信制御部３７は空いている子機のチャネルへベル有り信号を送出する（ｓｑ２８）。この結果、ｓｑ２３でのＦＡＸ本体のベルの鳴動と、ｓｑ２８で行われるコードレス電話機の鳴動との間に、ベル鳴動開始時間に大きな遅延が発生してしまう。
【００１１】
また、図４においてベル鳴動が開始し、相手がＦＡＸであった場合は電話回線にＣＮＧ信号が出現する。ＣＮＧ信号はＣＮＧ信号検知制御部４８によって検知され（ｓｑ３１）、ＦＡＸ受信が起動されると同時に、ＦＡＸ／コードレス電話機共通状態管理部４０を経由して（ｓｑ３２）、シリアル通信制御部４１に対してＦＡＸ受信中の状態通知要求が行われる（ｓｑ３３）。コードレス電話機制御部のシリアル通信制御部３８はこの要求を受け取り、コードレス電話機状態管理部３６へＦＡＸ側の状態を通知する（ｓｑ３４）。
【００１２】
さらに、ＦＡＸ通信中にコードレス子機５２〜５９の８台のうちのどれかで内線通話操作が行われると、無線通信制御部３７に内線通話要求の無線信号がコードレス子機から送られ（ｓｑ４１）、シリアル通信制御部３８を経由して（ｓｑ４２）、ＦＡＸ本体制御部３９への内線通話要求を行う。これはシリアル通信制御部３８からシリアル通信制御部４１に送られ（ｓｑ４３）、この要求を受け取ったシリアル通信制御部４１はＦＡＸ／コードレス電話機共通状態管理部４０に通知し（ｓｑ４４）、ＦＡＸ通信中のシステム処理能力の条件により、限界の場合はビジー信号にて応答、余裕がある場合は応答信号にて同時動作を許容する処理へ遷移する。シリアル通信制御部４１に応答信号を送り（ｓｑ４６）、さらにシリアル通信制御部３８を経由して（ｓｑ４７）、無線通信制御部３７を経て（ｓｑ４８）、コードレス子機５２〜５９（ｓｑ４９）を呼び出す。
【００１３】
このように、従来はＦＡＸ通信の負荷によってコードレス通信とＦＡＸ通信の同時動作が左右されるという制約が発生することとなる。そして場合によっては、負荷が大きいことに配慮して、当初からＦＡＸ通信中はコードレス通信との同時動作を許可しない場合もあった。
【００１４】
【特許文献１】
特開２００２−２３２５１８号公報
【００１５】
【発明が解決しようとする課題】
しかしながら上記従来の子機付きファクシミリ装置は、ＦＡＸ本体制御部とコードレス電話機制御部の双方に個別の状態管理、回線制御部が存在し、その２つの制御部がシリアル通信制御部を介して接続されていたため、ソフトウェア構造の複雑化、各種信号検知から状態変化までの反応時間の遅延が発生し、またＦＡＸ本体制御側ＣＰＵの処理能力の限界から、ＦＡＸ機能とコードレス電話機能の動作競合条件の制約、更には近年の高速通信、高速プリンター、コピア等の機能・性能アップに対応できないといった問題があった。また、ハードウェア部品の最適化ができず、部品点数の観点からもコストの増加をまねくという製造上の課題があった。
【００１６】
そこで本発明は上記従来の課題に鑑み、電話機制御部とＦＡＸ本体制御部のシステム構成の最適化を図り、効率的な状態遷移、信号処理を実現するファクシミリ装置を提供することを目的とする。
【００１７】
【課題を解決するための手段】
上記従来の課題を解決するために本発明のファクシミリ装置は、電話機制御部と、ＦＡＸ通信を行うＦＡＸ本体制御部とを備え、ＦＡＸ／電話機共通状態管理部が電話機制御部とＦＡＸ本体制御部の全体の状態管理を行うファクシミリ装置であって、電話機制御部には、ＦＡＸ／電話機共通状態管理部が設けられ、回線制御部がベル信号を検知したとき、電話機制御部内のベルを鳴動させるとともに子機にベル鳴動要求を通知し、回線制御部がＣＮＧ信号を検知したときは、ＦＡＸ本体制御部にＦＡＸ受信要求を行うことを特徴とする。
【００１８】
これにより、電話機制御部とＦＡＸ本体制御部のシステム構成の最適化を図り、効率的な状態遷移、信号処理を実現することができる。
【００１９】
【発明の実施の形態】
上記課題を解決するためになされた請求項１の発明は、電話機制御部と、ＦＡＸ通信を行うＦＡＸ本体制御部とを備え、ＦＡＸ／電話機共通状態管理部が電話機電話機制御部とＦＡＸ本体制御部の全体の状態管理を行う子機付きファクシミリ装置であって、電話機制御部には、ＦＡＸ／電話機共通状態管理部が設けられ、回線制御部がベル信号を検知したとき、電話機制御部内のベルを鳴動させるとともに子機にベル鳴動要求を通知し、回線制御部がＣＮＧ信号を検知したときは、ＦＡＸ本体制御部にＦＡＸ受信要求を行うことを特徴とするファクシミリ装置であり、電話機制御部にＣＮＧ信号を検知することができる回線制御部が設けられ、且つＦＡＸ／電話機共通状態管理部が設けられているから、個別の状態管理、回線制御を電話機制御部へ統合でき、ＦＡＸ通信フェーズの中からフェーズＡの制御のみを切り出して、回線制御部で１元管理することができる。コードレス電話機制御部とＦＡＸ本体制御部の効率的な状態遷移、信号処理を実現することができ、システム構成の最適化が図れるという作用を有する。
【００２０】
請求項２の発明は、子機から子機間通話要求があると、ＦＡＸ／電話機共通状態管理部が、ＦＡＸ通信中であればＦＡＸ送信中状態通知を無線制御部に発行し、該無線制御部が呼び出し先の子機に呼び出し要求を行うことを特徴とする請求項１記載のファクシミリ装置であり、ＦＡＸ通信中は、電話機制御部が単独で子機間通信の制御を担い、ＦＡＸ本体制御部との間で状態通知（シリアル通信）は発生させないため、ＦＡＸ通信の負荷によってコードレス通信とＦＡＸ通信の同時動作が可能であったりできなかったりせず、ＣＮＧ信号とＣＥＤ信号があったときだけシリアル通信を行うから効率的な信号処理を実行でき、電話機制御部とＦＡＸ本体制御部のシステム構成が最適化できる。
【００２１】
請求項３の発明は、子機から子機間通話要求があると、ＦＡＸ／電話機共通状態管理部が、呼び出し先子機が外線通話中であれば通話中状態通知を無線制御部に発行してビジーを通知するとともに、呼び出し先子機が外線通話中でなければ呼び出し可能通知を無線制御部に発行して呼び出すことを特徴とする請求項１記載のファクシミリ装置であり、電話機制御部が単独で子機間通信の制御を担い、ＦＡＸ本体制御部との間で状態通知（シリアル通信）は発生させないため、短時間で子機間通話を行え、システム構成の最適化が図れるという作用を有する。
【００２２】
以下、本発明の実施の形態について、図１、２を用いて説明する。
【００２３】
（実施の形態１）
図１は本発明の実施の形態１におけるマルチコードレス子機付きファクシミリ装置の構成図であり、図２は本発明の実施の形態１におけるマルチコードレス子機付きファクシミリ装置のモジュール間通信のシーケンスチャートである。
【００２４】
図１において、コードレス電話機制御部側の説明をすると、１はマルチコードレス子機付きファクシミリ装置に増設される後述する８台のコードレス電話機１７〜２４を制御するコードレス電話機制御部、２は電話回線に流れる各種信号を検知する回線制御部である。
【００２５】
３は回線制御部２に設けられた着信ベル信号を検知するベル検知制御部、４は電話をかけてきた相手の名前や電話番号を検知するコーラＩＤ信号検知制御部、５はＩＴＵ−Ｔ３０で推奨されたＦＡＸ通信プロトコルを実現するために、呼設定を行うための通信フェーズＡに含まれ送信機側から送出されるＣＮＧ信号（発呼トーン信号）を検知するＣＮＧ信号検知制御部である。
【００２６】
６は電話回線からのリモコン起動信号（ＤＴＭＦ）を検知するリモコン信号検知制御部、７は留守番電話に出先から録音が行われるときその音声が有効か無効かを判定するために必要な音声ＶＯＸ信号検知制御部、８はＩＴＵ−Ｔ３０で推奨されたＦＡＸ通信プロトコルを実現するために、通信フェーズＡに含まれ受信機側から送出されるＣＥＤ信号（被呼局確認信号）を検知するＣＥＤ信号検知制御部である。
【００２７】
９は後述するＦＡＸ本体制御部１２とコードレス電話機制御部１の双方（全体）の状態を統合管理するＦＡＸ／コードレス共通状態管理部、また、１０はコードレス電話機８台との間で無線信号による通信を行う無線通信制御部、１１はＦＡＸ本体制御部側ＣＰＵとコードレス電話機制御部側ＣＰＵ間の通信を行うコードレス電話機制御部側のシリアル通信制御部である。
【００２８】
続いて、ＦＡＸ本体制御部側の構成について説明する。１２はマルチコードレス子機付きファクシミリ装置のＦＡＸ通信、コピア、プリンター等のＦＡＸ側の機能を実現するＦＡＸ本体制御部、１３はＦＡＸ通信を行うためにＩＴＵ−Ｔ３０で推奨された通信プロトコルを実現するＩＴＵ−Ｔ３０通信プロトコル制御部、１４はＦＡＸ通信フェーズＢ〜Ｄを実現するフェーズＢ〜Ｄ制御部である。この通信フェーズＢは、ＦＡＸ通信を実行するために通信フェーズＡの呼設定手順を実行した後、メッセージ伝送前に行われる手順であり、フェーズＣは実際にメッセージを伝送する手順である。また、フェーズＤはこのメッセージ伝送手順が終了したことを確認する手順であり、フェーズＥは呼復旧手順である。
【００２９】
１５はＦＡＸ本体制御部側ＣＰＵとコードレス電話機制御部側ＣＰＵ間の通信を行うＦＡＸ本体制御部側のシリアル通信制御部、１６はＦＡＸの稼動状態を管理するＦＡＸ本体状態管理部、１７はコードレス電話機制御部に増設登録して使用される１台目の子機、１８は同様に増設登録して使用される２台目の子機、以下順次１９は３台目の子機、２０は４台目の子機、２１は５台目の子機、２２は６台目の子機、２３は７台目の子機、２４は８台目の子機である。
【００３０】
また図２においてマルチコードレス子機付きファクシミリ装置のモジュール間通信の説明を行う。図２において、電話回線からベル信号が入ると（ｓｑ１）回線制御部２が起動され、そのベル検知制御部３によってベル信号の検知が行われる（ｓｑ２）。ベル有りと判定された場合は、コードレス電話機制御部１内のベル鳴動回路（図示しない）を制御することでリアルタイムにベルの鳴動を開始するとともに（ｓｑ３）、ＦＡＸ／コードレス共通状態管理部９へ状態更新の要求が行われる（ｓｑ４）。また、同時に無線通信制御部１０を経由して（ｓｑ５）８台のコードレス電話機１７〜２４の内、空いているコードレス子機に対してベル鳴動要求が送出される（ｓｑ６）。ベル鳴動に関しては、従来システムのようにシリアル通信にて状態通知をすることがないのでＦＡＸ本体とコードレス電話機１７〜２４との間にベル鳴動開始時間の遅延が発生することはない。
【００３１】
ベル鳴動が開始し、相手がＦＡＸであった場合は電話回線にＣＮＧ信号が出現する。ＣＮＧ信号は回線制御部２内のＣＮＧ信号検知制御部５によって検知され（ｓｑ７）、回線制御部２からＦＡＸ／コードレス共通状態管理部９へ状態更新の要求が行われる（ｓｑ８）。その後シリアル通信制御部１１を経由し（ｓｑ９）、さらにシリアル通信制御部１５を経由して（ｓｑ１０）、ＦＡＸ本体制御部１２へＦＡＸ受信起動要求が行われ、ＦＡＸ通信が開始する。
【００３２】
次いで、このＦＡＸ通信中に８台のコードレス電話機１７〜２４のうちどれかで内線通話操作が行われると、無線通信制御部１０に対して子機間通話要求が送られる（ｓｑ１１）。これを受け取った無線通信制御部１０はＦＡＸ／コードレス共通状態管理部９へ状態確認要求のコマンドを送出する（ｓｑ１２）。これを受け取ったＦＡＸ／コードレス共通状態管理部９は回線状態を確認し、既にＦＡＸ通信が行われていることを示すフラグがたっているのでシリアル通信制御部１１にコマンドの送出を要求することなく、無線通信制御部１０に対してＦＡＸ送信中状態通知を送出する（ｓｑ１３）。これを受け取った無線通信制御部１０はコードレス電話機１７〜２４のうち該当する子機へ子機間呼び出し要求を送出する（ｓｑ１４）。これにより、ＦＡＸ本体制御部１２の介在なしでＦＡＸ通信中の子機間内線通話が実現可能となる。ｓｑ１２を受け取ったとき、呼び出し先子機が外線通話中であれば、ＦＡＸ／コードレス共通状態管理部９は通話中状態通知を無線制御部に発行してビジーを通知するとともに、呼び出し先子機が外線通話中でなければ呼び出し可能通知を無線制御部に発行して呼び出し先子機を呼び出す。コードレス電話機制御部が単独で子機間通信の制御を担い、ＦＡＸ本体制御部との間で状態通知（シリアル通信）は発生させないため、処理が少なく短時間で子機間通話を行える。
【００３３】
以上のように本実施の形態１のマルチコードレス子機付きファクシミリ装置によれば、コードレス電話機制御部とＦＡＸ本体制御部の双方で信号処理の遅延発生がなくなるほか、従来実現が困難であったＦＡＸ通信中にコードレス子機が制約なく同時動作ができる。
【００３４】
また、従来ＦＡＸ本体制御部とコードレス電話機制御部の双方に存在していた個別の状態管理、回線制御をコードレス電話機制御部へ統合し、ＦＡＸ通信フェーズの中からフェーズＡの制御のみを切り出し、回線制御部で１元管理することができる。さらに、各制御モジュール間でのモジュール間通信方式を実現するとき、ＦＡＸ通信中は、コードレス電話機制御部が単独で子機間通信の制御を担いＦＡＸ本体制御部への状態通知（シリアル通信）は発生させないため、コードレス電話機制御部とＦＡＸ本体制御部のシステム構成が最適化できる。これによって効率的な状態遷移、信号処理が実現され、低コストで拡張性に富んだシステム構成が可能となる。
【００３５】
【発明の効果】
本発明のマルチコードレス子機付きファクシミリ装置によれば、コードレス電話機制御部とＦＡＸ本体制御部のシステム構成が最適化され、効率的な状態遷移、信号処理が実現され、低コストで拡張性に富んだシステム構成にすることができる。
【図面の簡単な説明】
【図１】本発明の実施の形態１におけるマルチコードレス子機付きファクシミリ装置の構成図
【図２】本発明の実施の形態１におけるマルチコードレス子機付きファクシミリ装置のモジュール間通信のシーケンスチャート
【図３】従来のマルチ子機付きファクシミリ装置の構成図
【図４】従来のマルチコードレス子機付きファクシミリ装置のモジュール間通信のシーケンスチャート
【符号の説明】
１，３１  コードレス電話機制御部
２  回線制御部
３  ベル検知制御部
４  コーラＩＤ信号検知制御部
１４，５０  フェーズＢ〜Ｄ制御部
５，４８  ＣＮＧ信号検知制御部
６，４６  リモコン信号検知制御部
７，３５，４５  音声ＶＯＸ信号検知制御部
８，４９  ＣＥＤ信号検知制御部
９  ＦＡＸ／コードレス共通状態管理部
１０，３７  無線通信制御部
１１，１５，３８，４１  シリアル通信制御部
１２，３９  ＦＡＸ本体制御部
１３，４７  ＩＴＵ−Ｔ３０通信プロトコル制御部
１６  ＦＡＸ本体状態管理部
１７〜２４，５２〜５９  子機
３２，４２  回線制御部
３３，４３  ベル検知制御部
３４，４４  コーラＩＤ信号検知制御部
３６  コードレス電話機状態管理部
４０  ＦＡＸ／コードレス電話機共通状態管理部
５１  ＦＡＸ本体状態管理部
【図１】
2004274387.tif 000003
【図２】
2004274387.tif 000004
【図３】
2004274387.tif 000005
【図４】
2004274387.tif 000006